(57)【要約】【課題】従来よりも、袋体の運搬作業における作業負担を軽減できる、袋体の補助具に関する技術を提供する。【解決手段】内容物を収納する収納部と当該収納部に接続された吊部とを有する袋体の補助具であって、前記吊部を取り付け自在な取付部と、前記取付部の下方に設けられ、当該袋体の補助具を支持する土台部と、上部が前記取付部に連なり下部が前記土台部に連なる脚部であって、外力を加えることで変形し、外力を取り除くことで復元して前記取付部と前記土台部との間に空間を形成する。【選択図】図１
2018154368.tif 000002
【特許請求の範囲】
【請求項１】
内容物を収納する収納部と当該収納部に接続された吊部とを有する袋体の補助具であって、
前記吊部を取り付け自在な取付部と、
前記取付部の下方に設けられ、当該袋体の補助具を支持する土台部と、
上部が前記取付部に連なり下部が前記土台部に連なる脚部であって、外力を加えることで変形し、外力を取り除くことで復元して前記取付部と前記土台部との間に空間を形成する、袋体の補助具。
【請求項２】
前記土台部は、環状であり、
前記脚部は、環状の土台部から立ち上がる複数の薄板状の脚からなる、請求項１に記載の袋体の補助具。
【請求項３】
前記取付部は、外郭が前記土台部の外郭よりも小さく形成され、
前記薄板状の脚は、内側に傾斜し、かつ、横断面が外側に膨らむように湾曲している、請求項２に記載の袋体の補助具。
【請求項４】
前記取付部は、脚部の上部に連なる本体部と、当該本体部と連なる片部であって、当該本体部と当該片部とで吊部を挟み込んで前記吊部を保持する片部とを有する、請求項１から３の何れか１項に記載の袋体の補助具。
【請求項５】
前記取付部は、環状の枠からなり、外側に前記吊部を出し入れする切欠きを有する第１環状部と、当該第１環状部と連なり、外側に前記吊部を出し入れする切欠きを有する環状の枠からなる第２環状部とを有する、請求項１から３の何れか１項に記載の袋体の補助具。
【発明の詳細な説明】
【技術分野】
【０００１】
本発明は、袋体の補助具に関する。
【背景技術】
【０００２】
粉末や粒状物の荷物を保管又は運搬するための袋体がある。このような袋体の一つに、飼料、肥料、穀物、土砂、セメント系材料、廃棄物等の保管又は運搬に広く用いられているフレキシブルコンテナバッグがある。袋体の運搬作業は、一般的に、移動式クレーン、アタッチメントが変更された油圧ショベル、フォークリフト等の重機に設けられたフック等に、作業者が袋体の吊ベルトを引っ掛けることで行われる。
【０００３】
袋体の運搬作業における作業負担を軽減する技術が開発されている。例えば、特許文献１には、復元性を持った弾性回復のある骨材を１本ないし複数本を縦方向に縫製封入したもので当骨材封入物をフレキシブルコンテナーの吊り手基部と吊り手部中間部分になんらかの方法にて固着した部品が開示されている。また、例えば、特許文献２には、フレキシブルコンテナバッグとフレキシブルコンテナバッグに設けられた吊り手との間に挿入され、撓み変形させたときの弾性復元力によって吊り手を自立させる自立手段を備えることを特徴とするフレキシブルコンテナバッグ紐倒立具が開示されている。
【先行技術文献】
【特許文献】
【０００４】
【特許文献１】特開平９−１５０８８９号公報
【特許文献２】特開２０１６−２１６１１４号公報
【発明の概要】
【発明が解決しようとする課題】
【０００５】
袋体の運搬作業における作業負担を軽減する技術が開発されているが、例えば特許文献１に記載の技術では、復元性を持った弾性回復のある骨材を１本ないし複数本を縦方向に縫製封入した部品を袋体の吊ベルトに一つ一つ固着しなければならない。そのため、部品を袋体に固着する作業が煩雑となる。また、特許文献２に記載の技術では、フレキシブルコンテナバッグ紐倒立具を使用する際、その都度、フレキシブルコンテナバッグ紐倒立具を組み立てる作業を行う必要がある。
【０００６】
本発明は、上記の問題に鑑み、従来よりも、袋体の運搬作業における作業負担を軽減できる、袋体の補助具に関する技術を提供することを課題とする。
【課題を解決するための手段】
【０００７】
上記課題を解決するため、本発明は、内容物を収納する収納部と当該収納部に接続された吊部とを有する袋体の補助具であって、前記吊部を取り付け自在な取付部と、前記取付部の下方に設けられ、当該袋体の補助具を支持する土台部と、上部が前記取付部に連なり下部が前記土台部に連なる脚部であって、外力を加えることで変形し、外力を取り除くことで復元して前記取付部と前記土台部との間に空間を形成する。
【０００８】
本発明に係る袋体の補助具は、外力を加えることで脚部が変形することから、内容物を収納した袋体を袋体の補助具が取り付けられた状態で重ねることができる。また、本発明に係る袋体の補助具は、外力を取り除くことで脚部が復元することから、重ねた袋体を取り除くことで、取付部と土台部との間に形成された空間に、移動式クレーン、アタッチメントが変更された油圧ショベル、フォークリフト等の重機に設けられたフック等を挿入することができる。そのため、作業者が袋体の吊部をその都度重機のフック等に引っ掛けることなく、袋体を運搬することができる。また、本発明に係る袋体の補助具は、土台部を袋体の上面に載置すればよく、袋体に固着する必要がない。そのため、例えば、特許文献１に記載されているような、部品を袋体の吊ベルトに一つ一つ固着する必要がある従来技術と比較して、作業負担を軽減することができる。また、本発明に係る袋体の補助具は、取付部、脚部、土台部を一体成形し、完成体とすることができる。これにより、使用時に組み立て作業を行う必要がないため、例えば、特許文献２に記載されているような、組み立て作業を必要とする従来技術と比較して、作業負担を軽減することができる。なお、取付部、脚部、土台部は、別部品で構成してもよい。
【０００９】
本発明に係る袋体の補助具は、飼料、肥料、穀物、土砂、セメント系材料、廃棄物等の保管又は運搬に広く用いられているフレキシブルコンテナバッグの補助具として好適に用いることができる。袋体は、内容物を収納する収納部と収納部に接続された吊部を有するものであればよく、フレキシブルコンテナバッグに限定されない。取付部は、吊部（吊ベルト、吊紐など）を取り付け自在で、取り付けた吊部を保持できればよく、その形状は特に限定されない。土台部は、袋体の上面と接する部分であり、袋体の補助具、換言すると、脚部及び取付部を支持する。脚部は、外力を加えることで変形し、外力を取り除くことで復元する。換言すると、脚部は、弾性性能、復元性能を有する。脚部は、取付部を支持できればよく、一又は複数の脚で構成することができる。
【００１０】
ここで、前記土台部は、環状とすることができる。土台部を環状にすることで、内側に空間が形成されることから、袋体の上面に凸部があっても、凸部が内側の空間に収まるため、袋体の補助具が傾き難くなる。すなわち、土台部を環状にすることで、袋体の補助具を袋体に載置しやすくなり、また、安定性が向上する。また、土台部を環状にすることで、軽量化できる。また、袋体の補助具の運搬時や保管時では、土台部の内側に形成された空間に他の袋体の補助具の上部を挿入することが可能となり、袋体の補助具を重ねることが可能となる。その結果、運搬性や保管性が向上する。なお、土台部は、多角形の枠、円形のプレート、多角形のプレートで構成してもよい。
【００１１】
また、前記脚部は、環状の土台部から立ち上がる複数の薄板状の脚で構成してもよい。脚部を複数の薄板状の脚で構成することで、安定性が向上する。脚の数は特に限定されないが、例えば脚の数を３本から５本、好ましくは４本とし、等間隔に配置することができる。これにより、安定性が向上するとともに、脚と脚の間にも十分な間隔が確保できるため、重機のフック等を挿入しやすくなり、作業性も向上する。
【００１２】
また、前記取付部は、外郭が前記土台部の外郭よりも小さく形成され、前記薄板状の脚は、内側に傾斜し、かつ、横断面が外側に膨らむように湾曲するようにしてもよい。取付部及び薄板状の脚を上記のように構成することで、本発明に係る袋体の補助具は、逆すり鉢形状となり、安定性が向上する。また、逆すり鉢形状とすることで、袋体の補助具の運搬時や保管時において、袋体の補助具を重ね易くなり、袋体の補助具の運搬性や保管性がより向上する。また、薄板状の脚は、横断面が外側に膨らむように湾曲しているため、安定性が向上するとともに、外力を取り除いた際の復元力が向上する。
【００１３】
また、前記取付部は、脚部の上部に連なる本体部と、当該本体部と連なる片部であって、当該本体部と当該片部とで吊部を挟み込んで吊部を保持する片部とを有するものでもよい。挟み込んで吊部を保持する構成とすることで、容易に吊部を取り付けることができ、また、保持した状態を維持することができる。
【００１４】
前記取付部は、脚部の上部に連なる枠状の本体部からなり、前記枠状の本体部は、環状の枠からなり、外側に前記吊部を出し入れする切欠きを有する第１環状部と、当該第１環状部と連なり、外側に前記吊部を出し入れする切欠きを有する環状の枠からなる第２環状部とを有するものでもよい。２つの切欠きを設けて、この切欠きから吊部を挿入する構成とすることで、容易に吊部を取り付けることができ、また、吊部を取り付けた状態を維持することができる。
【発明の効果】
【００１５】
本発明によれば、従来よりも、袋体の運搬作業における作業負担を軽減することができる。
【図面の簡単な説明】
【００１６】
【図１】図１は、第１実施形態に係る補助具をフレキシブルコンテナバッグに取り付けた状態を示す斜視図である。
【図２】図２は、第１実施形態に係る補助具の斜視図である。
【図３】図３は、図２のＡ矢視図である。
【図４】図４は、図３のＢ−Ｂ断面図である。
【図５】図５は、図３のＣ−Ｃ断面図である。
【図６】図６は、第１実施形態に係る補助具が変形した状態と復元した状態を示す斜視図である。
【図７】図７は、第１実施形態に係る補助具をフレキシブルコンテナバッグに載置した状態を示す斜視図である。
【図８】図８は、第１実施形態に係る補助具の取付部にフレキシブルコンテナバッグの吊ベルトを取り付ける状態を示す斜視図である。
【図９】図９は、第１実施形態に係る補助具が取り付けられたフレキシブルコンテナバッグを重機で吊り上げた状態を示す斜視図である。
【図１０】図１０は、第１実施形態に係る補助具が取り付けられたフレキシブルコンテナバッグを積み重ねた状態を示す斜視図である。
【図１１】図１１は、第２実施形態に係る補助具の斜視図である。
【図１２】図１２は、第２実施形態に係る補助具が変形した状態と復元した状態を示す斜視図である。
【図１３】図１３は、第２実施形態に係る補助具の取付部にフレキシブルコンテナバッグの吊ベルトを取り付ける状態を示す斜視図である。
【図１４】図１４は、第２実施形態に係る補助具が取り付けられたフレキシブルコンテナバッグを重機で吊り上げた状態を示す斜視図である。
【図１５】図１５は、第２実施形態に係る補助具が取り付けられたフレキシブルコンテナバッグを積み重ねた状態を示す斜視図である。
【発明を実施するための形態】
【００１７】
次に、本発明の実施形態について図面に基づいて説明する。以下の説明は例示であり、本発明は以下の内容に限定されるものではない。
【００１８】
＜第１実施形態＞
＜補助具の構成＞
図１から図６に示すように、第１実施形態に係る補助具１は、フレキシブルコンテナバッグ２の上面に載置され、フレキシブルコンテナバッグ２の吊ベルト２１を取付部１１で保持し、フレキシブルコンテナバッグ２を吊ベルト２１で吊り上げるための空間（以下、吊空間Ｓ３ともいう）を形成する。また、第１実施形態に係る補助具１は、脚部１２が外力を加えることで変形し、外力を取り除くことで復元することから、フレキシブルコンテナバッグ２に取り付けたまま、フレキシブルコンテナバッグ２を積み重ねることができる（図１０を参照）。以下、詳細に説明する。
【００１９】
フレキシブルコンテナバッグ２は、本発明の袋体の一例であり、収納部２２、吊ベルト２１を備える。収納部２２は、内容物を収納する。第１実施形態に係る収納部２２は、円柱状である。吊ベルト２１は、フレキシブルコンテナバッグ２を吊り上げる際、重機のフック等を引っ掛ける部分である。吊ベルト２１は、フレキシブルコンテナバッグ２の上部及び底面で交わる、細長い２本の輪で構成されている。各吊ベルト２１（２本の輪）は、フレキシブルコンテナバッグ２の側面、底面、反対側の側面に沿って縫合され、フレキシブルコンテナバッグ２の上面と吊ベルト２１との間に空間ができるように長さが予め調整されている。第１実施形態に係るフレキシブルコンテナバッグ２は、除染廃棄物を収納するためのものであり、化学繊維（例えば、ポリプロピレン）で織り込まれるとともに放射線を遮蔽する層を有している。なお、フレキシブルコンテナバッグ２は、他の内容物、例えば、飼料、肥料、穀物、土砂、セメント系材料、廃棄物等を収納するものでもよい。また、第１実施形態に係るフレキシブルコンテナバッグ２は、円柱状であるが、四角柱（箱形）等、他の形状のものでもよい。また、第１実施形態に係る吊ベルト２１は、２本であるが、３本等でもよく、本数は限定されない。
【００２０】
第１実施形態に係る補助具１は、本発明の袋体の補助具１の一例であり、フレキシブルコンテナバッグ２を吊ベルト２１で吊り上げるための空間（吊空間Ｓ３）を形成する。補助具１は、取付部１１、脚部１２、土台部１３を備える。第１実施形態に係る補助具１は、超弾性樹脂で構成され、射出成型により、取付部１１、脚部１２、土台部１３が一体的に構成されている。第１実施形態に係る補助具１は、逆すり鉢形状である。なお、補助具１は、少なくとも脚部１２が弾性性能、復元性能を有する素材で構成されていればよく、素材や成型方法は上記に限定されない。
【００２１】
取付部１１は、吊ベルト２１を取り付け自在である。取付部１１は、脚部１２の上部に連なる本体部１１１と、本体部１１１と連なる片部１１２とを有し、本体部１１１と片部１１２とで吊ベルト２１を挟み込んで吊ベルト２１を保持する。本体部１１１は、脚部１２及び片部１１２を支持するもので、環状の土台部１３の外郭よりも小さい径を有する円形プレートが切り欠かれることで形成されている。本体部１１１は、円弧部１１１ａ，１１１ａ、第１桁部１１１ｂ，１１１ｂ、第２桁部１１１ｃ，１１１ｃを有する。円弧部１１１ａ，１１１ａは、土台部１３よりも小さい径の円弧からなり、両端部の夫々に脚１２１が連なっている。２つの円弧部１１１ａ，１１１ａは、対向している。第１桁部１１１ｂ，１１１ｂは、平行する２本の直線状の細長いプレートからなり、端部が円弧部１１１ａ，１１１ａの両端部よりも中央寄りに連なっている。第１桁部１１１ｂ，１１１ｂは、円弧部１１１ａ，１１１ａの仮想接線（図示せず）と直交するように、円弧部１１１ａ，１１１ａと連なっている。第２桁部１１１ｃ，１１１ｃは、平行する２本の直線状の細長いプレートからなる。第２桁部１１１ｃ，１１１ｃは、第１桁部１１１ｂ，１１１ｂよりも短く、第１桁部１１１ｂ，１１１ｂの中央付近において、第１桁部１１１ｂ，１１１ｂと直交するように第２桁部１１１ｃ，１１１ｃに連なっている。換言すると、第２桁部１１１ｃ，１１１ｃは、第１桁部１１１ｂ，１１１ｂの中央に設けられた片部１１２を挟み込むように、片部１１２の両側に設けられている。
【００２２】
片部１１２は、本体部１１１に支持されながら、吊ベルト２１を収納して保持するもので、立ち上がり部１１２ａ、傾斜部１１２ｂ、返し部１１２ｃを有する。立ち上がり部１１２ａは、基端が一方の第１桁部１１１ｂの中央に連なり、先端が他方の第１桁部１１１ｂ側に僅かに傾くように、斜め上方に向けて立ち上がっている。立ち上がり部１１２ａの基端は、片部１１２が変形する際のヒンジの一つとしても機能する。傾斜部１１２ｂは、基端が立ち上がり部１１２ａの上端に連なり、先端が他方の第１桁部１１１ｂに達するように傾斜している。傾斜部１１２ｂの基端（立ち上がり部１１２ａの先端）は、片部１１２が変形する際のヒンジの一つとしても機能する。返し部１１２ｃは、基端が傾斜部１１２ｂの先端に連なり、自由端である先端が立ち上がり部１１２ａの反対側に傾くように、斜め上方に向けて立ち上がっている。片部１１２を側面から見ると、第２桁部１１１ｃ，１１１ｃ、片部１１２の立ち上がり部１１２ａ、片部１１２の傾斜部１１２ｂによって、三角形の収納空間Ｓ１が形成されている（図４等を参照）。収納空間Ｓ１は、吊ベルト２１を収納して保持する空間として機能する。また、同様に片部１１２を側面から見ると、第２桁部１１１ｃ，１１１ｃと返し部１１２ｃとの間に、立ち上がり部１１２ａ側から返し部１１２ｃ側に向けて徐々に間口が広がる（返し部１１２ｃ側から立ち上がり部１１２ａ側に向けて徐々に間口が狭まる）挿入空間Ｓ２が形成されている。挿入空間Ｓ２は、吊ベルト２１を収納空間Ｓ１に収納する際の挿入部として機能する。片部１１２は、返し部１１２ｃに対して上向きの外力を加えると、立ち上がり部１１２ａの基端（一方の第１桁部１１１ｂとの接続部分）及び傾斜部１１２ｂの基端（立ち上がり部１１２ａの先端）をヒンジとして変形し、この外力を取り除くことで復元する。そのため、返し部１１２ｃに対して上向きの外力を加えると、収納空間Ｓ１と挿入空間Ｓ２が連通し、この外力を取り除くと、収納空間Ｓ１と挿入空間Ｓ２は、独立した空間となる。
【００２３】
脚部１２は、上端が取付部１１と連なり下端が土台部１３に連なる。脚部１２は、外力を加えることで変形し、外力を取り除くことで復元して取付部１１と土台部１３との間、換言するとフレキシブルコンテナバッグ２を吊ベルト２１で吊り上げるための空間（吊空間Ｓ３）を形成する。脚部１２は、等間隔に配置された４本の脚１２１で構成されている。各脚１２１は、上端が取付部１１の円弧部１１１ａの端部に連なり、下端が土台部１３に連なっている。各脚１２１は、薄板状であり、横断面が外側に膨らむように湾曲している。各脚１２１は、先端が内側（補助具１の中心側）に傾くように傾斜している。各脚１２１は、下端においては土台部１３の外郭に合わせて湾曲しており、先端においては取付部１１の円弧部１１１ａの外郭に合わせて湾曲しており、曲率は下端から上端に向けて変化している。また、各脚１２１は、下端から先端に向けて幅が狭くなるように形成されている。
【００２４】
土台部１３は、脚部１２及び取付部１１を支持する。土台部１３は、環状の帯からなり、脚部１２、すなわち等間隔に配置された４本の脚１２１の下端が連なっている。土台部１３は、各脚１２１の傾斜と同様に、僅かに傾斜している。また、土台部１３の外側面には、各脚１２１が連なる位置に、土台部１３を補強するとともに、補助具１の転倒を抑制する補強リブ１３１が４か所設けられている。補強リブ１３１は、土台部１３の外側面から外側に突出した四角形の突起片で構成されている。また、補強リブ１３１は、補助具１を積み重ねた際、土台部１３と土台部１３との間に隙間を形成する。この隙間には、手指を入れることが可能となっており、重ねた補助具１を容易に分離することができる。
【００２５】
＜補助具の変形・復元＞
図６に示すように、第１実施形態に係る補助具１は、上方から外力を加えると脚部１２が変形し、外力を取り除くと脚部１２が復元する。脚部１２を変形させる外力には、内容物を収納したフレキシブルコンテナバッグ２の重量が例示される。例えば、内容物を収納したフレキシブルコンテナバッグ２を重ねることで、下方にあるフレキシブルコンテナバッグ２に取り付けられた補助具１は、４本の脚１２１が高さ方向の中央付近で外側に膨らむように折れ曲がる。そして、重ねられた内容物を収納したフレキシブルコンテナバッグ２を取り除くことで、補助具１の４本の脚１２１は、復元する。
【００２６】
＜補助具の使用例＞
次に補助具１の使用例について説明する。以下の説明では、放射性物質により汚染された破棄物（以下、除染廃棄物という）を収納するフレキシブルコンテナバッグ２に補助具１を用いる場合について説明する。
【００２７】
補助具１は、除染を行った土地において、除染廃棄物をフレキシブルコンテナバッグ２に収納した際、フレキシブルコンテナバッグ２に取り付けることができる。これにより、除染を行った土地で除染廃棄物を保管する際、除染廃棄物を収納したフレキシブルコンテナバッグ２の移動や積み上げ作業を容易に行うことができる。また、除染廃棄物の処分場等、他の地域に移動する際においても、除染廃棄物を収納したフレキシブルコンテナバッグ２の移動作業や積み上げ作業を容易に行うことができる。なお、除染廃棄物をフレキシブルコンテナバッグ２に収納した際に補助具１を取り付けることで、以後の移動作業や積み上げ作業を容易に行うことができるが、既に保管されているフレキシブルコンテナバッグ２に補助具１を取り付けてもよい。
【００２８】
まず、除染廃棄物を収納したフレキシブルコンテナバッグ２の上面に補助具１が載置される。図７は、第１実施形態に係る補助具をフレキシブルコンテナバッグに載置した状態を示す斜視図である。
【００２９】
次に、補助具１の取付部１１にフレキシブルコンテナバッグ２の吊ベルト２１が取り付けられる。図８は、第１実施形態に係る補助具の取付部にフレキシブルコンテナバッグの吊ベルトを取り付ける状態を示す斜視図である。取付部１１の第２桁部１１１ｃと返し部１１２ｃと間に形成される挿入空間Ｓ２から吊ベルト２１が挿入される。例えば、吊ベルト２１が返し部１１２ｃ側から立ち上がり部１１２ａ側にスライドされ、挿入空間Ｓ２の奥へ達する。更に、吊ベルト２１をスライドすると、吊ベルト２１が返し部１１２ｃを上向きに押し上げるようになり、返し部１１２ｃに上向きの力が作用する。その結果、片部１１２は、立ち上がり部１１２ａの基端（一方の第１桁部１１１ｂとの接続部分）及び傾斜部１１２ｂの基端（立ち上がり部１１２ａの先端）をヒンジとして変形し、収納空間Ｓ１と挿入空間Ｓ２が連通し、吊ベルト２１が挿入空間Ｓ２の奥にある収納空間Ｓ１に収納される。吊ベルト２１が収納空間Ｓ１に達すると、吊ベルト２１による返し部１１２ｃを上向きに押し上げる力が無くなるため、返し部１１２ｃに作用していた上向きの力が取り除かれたことになる。その結果、片部１１２は、復元し、収納空間Ｓ１と挿入空間Ｓ２は、独立した空間となる。つまり、吊ベルト２１は、収納空間Ｓ１に収納され、この状態が維持される。補助具１は、フレキシブルコンテナバッグ２に取り付けたまま使用することができるが、取り外す場合には、吊ベルト２１を立ち上がり部１１２ａ側から返し部１１２ｃが側にスライドさせればよい。これにより、吊ベルト２１が傾斜部１１２ｂの先端側（返し部１１２ｃ側）を上向きに押し上げ、返し部１１２ｃに上向きの力が作用する。その結果、片部１１２は、立ち上がり部１１２ａの基端（一方の第１桁部１１１ｂとの接続部分）及び傾斜部１１２ｂの基端（立ち上がり部１１２ａの先端）をヒンジとして変形し、収納空間Ｓ１と挿入空間Ｓ２が連通し、吊ベルト２１を取り外すことが可能となる。なお、取付部１１の返し部１１２ｃを把持して、返し部１１２ｃを上方に持ち上げるようにして、吊ベルト２１を収納空間Ｓ１に収納し、又は取り外すようにしてもよい。
【００３０】
次に、フレキシブルコンテナバッグ２が吊り上げられる。図９は、第１実施形態に係る補助具が取り付けられたフレキシブルコンテナバッグを重機で吊り上げた状態を示す斜視図である。上下方向で見ると取付部１１と土台部１３との間に形成される空間、横方向で見ると脚１２１と脚１２１との間に形成される空間（吊空間Ｓ３）に重機のアーム先端に取り付けられたアタッチメント（図９では、フック４）が挿入され、フレキシブルコンテナバッグ２が吊り上げられる。重機には、移動式クレーン、アタッチメントが変更された油圧ショベル、フォークリフトが例示される。また、重機のアタッチメントは、吊空間Ｓ３に挿入できればよく、例えばグラップルでもよく、形状は特に限定されない。
【００３１】
次に、吊り上げられたフレキシブルコンテナバッグ２は、移動され適宜積み重ねられる。図１０は、第１実施形態に係る補助具が取り付けられたフレキシブルコンテナバッグを積み重ねた状態を示す斜視図である。フレキシブルコンテナバッグ２が積み重ねられると、下方にあるフレキシブルコンテナバッグ２に取り付けられた補助具１は、４本の脚１２１が高さ方向の中央付近で外側に膨らむように折れ曲がる。重ねられた内容物を収納したフレキシブルコンテナバッグ２を取り除くことで、補助具１の４本の脚１２１は、復元する。全てのフレキシブルコンテナバッグ２が積み重ねられると、防水シートや遮水シートが被せられる。
【００３２】
＜効果＞
第１実施形態に係る補助具１は、外力を加えることで脚部１２が変形することから、補助具１を取り付けたまま、内容物を収納したフレキシブルコンテナバッグ２を重ねることができる。また、補助具１は、外力を取り除くことで脚部１２が復元することから、重ねたフレキシブルコンテナバッグ２を取り除くことで、取付部１１と土台部１３との間に形成された空間（脚１２１と脚１２１との間に形成された空間）である吊空間Ｓ３に、重機に設けられたアタッチメント（図９では、フック４）を挿入することができる。そのため、作業者がフレキシブルコンテナバッグ２の吊ベルト２１をその都度重機のフック４等に引っ掛けることなく、フレキシブルコンテナバッグ２を運搬することができる。また、第１実施形態に係る補助具１は、土台部１３をフレキシブルコンテナバッグ２の上面に載置すればよく、フレキシブルコンテナバッグ２に固着する必要がない。そのため、例えば、特許文献１に記載されているような、部品を袋体の吊ベルトに一つ一つ固着する必要がある従来技術と比較して、作業負担を軽減することができる。また、第１実施形態に係る補助具は、取付部１１、脚部１２、土台部１３が射出成型で一体成形されており、予め完成体であり、使用時に組み立て作業を行う必要がない。そのため、例えば、特許文献２に記載されているような、組み立て作業を必要とする従来技術と比較して、作業負担を軽減することができる。
【００３３】
また、第１実施形態に係る補助具１は、土台部１３が環状であるため、内側に空間が形成されている。そのため、フレキシブルコンテナバッグ２の上面に仮に凸部があっても、凸部が内側の空間に収まるため、補助具１が傾き難くなる。すなわち、土台部１３を環状にすることで、補助具１をフレキシブルコンテナバッグ２に載置しやすくなり、また、安定性が向上している。また、脚部１２が４本の薄板状の脚１２１で構成されており、安定性が向上している。また、取付部１１は、その外郭が土台部１３の外郭よりも小さく形成されているため、安定性が向上している。換言すると、第１実施形態に係る補助具１は、逆すり鉢形状であり、更に土台部１３に補強リブ１３１が設けられていることから、非常に転倒し難くなっており、安定性が向上している。また、補助具１は、土台部１３が環状であり、かつ、逆すり鉢形状であることから、補助具１の運搬時や保管時では、重ねて使用することができる。また、補助具１は、土台部１３に補強リブ１３１が設けられており、補助具１を積み重ねた際、土台部１３と土台部１３との間に隙間を形成する。この隙間には、手指を入れることが可能となっており、重ねた補助具１を容易に分離することができる。その結果、第１実施形態に係る補助具１は、補助具１自身の運搬性や保管性にも優れている。また、第１実施形態に係る補助具１は、環状の土台部１３、４本の薄板状の脚１２１からなる脚部１２、余分な個所が切り欠かれた取付部１１で構成されて、軽量化が実現されている。
【００３４】
＜第２実施形態＞
次に、第２実施形態に係る補助具１Ｂについて説明する。第２実施形態に係る補助具１Ｂは、取付部１１、及び土台部１３Ｂの構成が第１実施形態に係る補助具１と異なる。以下、相違点を中心に説明する。図１１は、第２実施形態に係る補助具の斜視図であり、図１２は、第２実施形態に係る補助具の取付部にフレキシブルコンテナバッグの吊ベルトを取り付ける状態を示す斜視図であり、図１３は、第２実施形態に係る補助具が変形した状態と復元した状態を示す斜視図であり、図１４は、第２実施形態に係る補助具が取り付けられたフレキシブルコンテナバッグを重機で吊り上げた状態を示す斜視図であり、図１５は、第２実施形態に係る補助具が取り付けられたフレキシブルコンテナバッグを積み重ねた状態を示す斜視図である。
【００３５】
第２実施形態に係る補助具１Ｂの取付部１１Ｂは、第１実施形態と同様に、吊ベルト２１を取り付け自在である。取付部１１は、脚部１２の上部に連なる八の字形状の本体部１１１Ｂを備える。本体部１１１Ｂは、環状の土台部１３Ｂの外郭よりも小さい径を有する円形プレートが切り欠かれることで形成されている。本体部１１１Ｂは、円弧部１１６Ｂ，１１６Ｂ、第１桁部１１４Ｂ，１１４Ｂ、第２桁部１１５Ｂを有する。円弧部１１６Ｂ，１１６Ｂは、土台部１３よりも小さい径の円弧からなり、両端部の夫々に脚１２１が連なっている。２つの円弧部円弧部１１６Ｂ，１１６Ｂは、対向している。第１桁部１１４Ｂ，１１４Ｂは、中央付近が内側に折れ曲がる２本の細長いプレートからなり、端部が円弧部１１６Ｂ，１１６Ｂの両端部に連なっている。第２桁部１１５Ｂは、平行する２本の直線状の細長いプレートからなる。第２桁部１１５Ｂは、第１桁部１１４Ｂ，１１４Ｂの中央付近で、第１桁部１１４Ｂ，１１４Ｂに跨るように連なっている。円弧部１１６Ｂ，１１６Ｂには、円弧部１１６Ｂ，１１６Ｂの中心よりも端部側に、吊ベルト２１を出し入れするための切欠き１１７Ｂ，１１７Ｂが設けられている。切欠き１１７Ｂ，１１７Ｂは、斜めに対向するように、円弧部１１６Ｂ，１１６Ｂの夫々に形成されている。第１桁部１１４Ｂ、第２桁部１１５Ｂ、及び円弧部１１６Ｂで、第１環状部１１８Ｂ１と第２環状部１１８Ｂ２を夫々形成している。そして、第１環状部１１８Ｂ１、第２環状部１１８Ｂ２の内側には切欠き１１７Ｂを介して外側と連通し、吊ベルト２１が収納される収納空間Ｓ４が形成されている。なお、切欠き１１７Ｂ，１１７Ｂは、吊ベルト２１を収納空間Ｓ４に収納する際の挿入部として機能する。
【００３６】
土台部１３Ｂは、脚部１２及び取付部１１を支持する。土台部１３Ｂは、環状の帯からなり、脚部１２、すなわち等間隔に配置された４本の脚１２１の下端が連なっている。土台部１３Ｂは、各脚１２１の傾斜と同様に、僅かに傾斜している。また、土台部１３Ｂの外側面には、各脚１２１が連なる位置に、土台部１３Ｂを補強するとともに、補助具１を積み重ねた際、土台部１３Ｂと土台部１３Ｂとの間に隙間を形成する補強リブ１３１Ｂが４か所設けられている。補強リブ１３１Ｂは、土台部１３Ｂの外側面から外側に突出した四角形の突起片で構成されている。また、第２実施形態に係る土台部１３Ｂは、土台部１３Ｂの下端に、補助具１Ｂの転倒を抑制する外側に突出する鍔１３２Ｂが連なっている。更に、鍔１３２Ｂには、補強リブ１３１Ｂの近傍に、半円状の切欠きとして半円状切欠き１３３Ｂが形成されている。半円状切欠き１３３Ｂは、積み重ねた補助具１Ｂを分離する際、手指を入れることが可能となっており、重ねた補助具１を容易に分離することができる。
【００３７】
＜補助具の変形・復元＞
図１２に示すように、第２実施形態に係る補助具１Ｂは、第１実施形態に係る補助具１Ｂと同様に、上方から外力を加えると脚部１２が変形し、外力を取り除くと脚部１２が復元する。例えば、内容物を収納したフレキシブルコンテナバッグ２を重ねることで、下方にあるフレキシブルコンテナバッグ２に取り付けられた補助具１Ｂは、４本の脚１２１が高さ方向の中央付近で外側に膨らむように折れ曲がる。そして、重ねられた内容物を収納したフレキシブルコンテナバッグ２を取り除くことで、補助具１Ｂの４本の脚１２１は、復元する。
【００３８】
＜補助具の使用例＞
次に第２実施形態に係る補助具１Ｂの使用例について説明する。以下、除染廃棄物を収納するフレキシブルコンテナバッグ２に補助具１Ｂを用いる場合を例に、第１実施形態に係る補助具１との相違点を中心に説明する。
【００３９】
まず、除染廃棄物を収納したフレキシブルコンテナバッグ２の上面に補助具１Ｂが載置される（図７参照）。次に、補助具１Ｂの取付部１１Ｂにフレキシブルコンテナバッグ２の吊ベルト２１が取り付けられる。次に、図１３に示すように、第１桁部１１４Ｂ，１１４Ｂの外側から吊ベルト２１が切欠き１１７Ｂ，１１７Ｂに近づけられ、挿入空間として機能する切欠き１１７Ｂ，１１７Ｂから吊ベルト２１が挿入され、収納空間Ｓ４に収納される。より詳細には、各吊ベルト２１が、対向する切欠き１１７Ｂ，１１７Ｂの夫々から、第２桁部１１５Ｂを跨ぐように挿入される。収納空間Ｓ４に挿入された各吊ベルト２１は、第１桁部１１４Ｂ，１１４Ｂに寄せられ、収納空間Ｓ４に収納される。切欠き１１７Ｂ，１１７Ｂは、円弧部１１６Ｂ，１１６Ｂの中心よりも端部側に、斜めに対向するように形成されている。そのため、一方の吊ベルト２１に着目すると、第１環状部１１８Ｂ１では、吊ベルト２１から切欠き１１７Ｂまでの距離が長く、第２環状部１１８Ｂ２では、吊ベルト２１から切欠き１１７Ｂまでの距離が短くなっている。このため、少なくとも吊ベルト２１の一方は、他方と比較すると収納空間Ｓ４から抜けにくくなっている。
【００４０】
次に、図１４に示すように、フレキシブルコンテナバッグ２が吊り上げられる。具体的には、取付部１１Ｂと土台部１３Ｂとの間に形成される空間（吊空間Ｓ３）に重機のアーム先端に取り付けられたアタッチメント（図１４では、フック４）が挿入され、フレキシブルコンテナバッグ２が吊り上げられる。次に、図１５に示すように、吊り上げられたフレキシブルコンテナバッグ２は、移動され適宜積み重ねられる。フレキシブルコンテナバッグ２が積み重ねられると、下方にあるフレキシブルコンテナバッグ２に取り付けられた補助具１Ｂは、４本の脚１２１が高さ方向の中央付近で外側に膨らむように折れ曲がる。重ねられた内容物を収納したフレキシブルコンテナバッグ２を取り除くことで、補助具１Ｂの４本の脚１２１は、復元する。
【００４１】
＜効果＞
第２実施形態に係る補助具１Ｂは、第１実施形態に係る補助具１と同様に、外力を加えることで脚部１２が変形することから、補助具１Ｂを取り付けたまま、内容物を収納したフレキシブルコンテナバッグ２を重ねることができる。また、補助具１Ｂは、外力を取り除くことで脚部１２が復元することから、重ねたフレキシブルコンテナバッグ２を取り除くことで、取付部１１Ｂと土台部１３Ｂとの間に形成された空間（脚１２１と脚１２１との間に形成された空間）である吊空間Ｓ３に、重機に設けられたアタッチメント（図１４では、フック４）を挿入することができる。そのため、作業者がフレキシブルコンテナバッグ２の吊ベルト２１をその都度重機のフック４等に引っ掛けることなく、フレキシブルコンテナバッグ２を運搬することができる。また、第２実施形態に係る補助具１Ｂは、第１実施形態に係る補助具１の効果に加えて、第１環状部１１８Ｂ１では、吊ベルト２１から切欠き１１７Ｂまでの距離が長く、第２環状部１１８Ｂ２では、吊ベルト２１から切欠き１１７Ｂまでの距離が短くなっている。このため、少なくとも吊ベルト２１の一方は、他方と比較すると収納空間Ｓ４から抜けにくくなっている。そのため、第２実施形態に係る補助具１Ｂは、第１実施形態に係る補助具１と比較して、更に、吊ベルト２１を取付部１１Ｂに引っ掛けやすく、かつ、外れ難くなっている。
【００４２】
以上、本発明の実施形態を説明したが、本発明に係る袋体の補助具は、これらに限られず、可能な限りこれらを組み合わせることができる。
【符号の説明】
【００４３】
１・・・補助具
１１・・・取付部（１１１・・・本体部、１１２・・・片部）
１２・・・脚部（１２１・・・脚）
１３・・・土台部（１３１・・・補強リブ）
２・・・フレキシブルコンテナバッグ（２１・・・吊ベルト、２２・・・収納部）
【図１】
2018154368.tif 000003
【図２】
2018154368.tif 000004
【図３】
2018154368.tif 000005
【図４】
2018154368.tif 000006
【図５】
2018154368.tif 000007
【図６】
2018154368.tif 000008
【図７】
2018154368.tif 000009
【図８】
2018154368.tif 000010
【図９】
2018154368.tif 000011
【図１０】
2018154368.tif 000012
【図１１】
2018154368.tif 000013
【図１２】
2018154368.tif 000014
【図１３】
2018154368.tif 000015
【図１４】
2018154368.tif 000016
【図１５】
2018154368.tif 000017